(57)【要約】【課題】「うかります」や「落ちない」などの受験生にとって縁起の良い語呂合わせの言葉を合理的に持ち備えた、視覚的にも楽しめる神秘的でユニークな置物として、受験生の精神的な支えとなり、時には安らぎの空間を醸しだしてくれるような縁起の良い合格祈願の置物を提供する。【解決手段】リング状磁石の台上に、透明筒体を設置して、その内部に磁石付物体を浮揚、静止させる。リング状磁石は、リングの大きさとして内径１０ｍｍ〜１００ｍｍ、外径３０ｍｍ〜１５０ｍｍ、厚さ３ｍｍ〜２０ｍｍであって、磁石付枡のような浮揚体を透明筒体内で２つの磁石を利用して浮揚・静止させた模型の枡で、逆さにしても落下しない置物である。【選択図】図３
2012061022.tif 000002
【特許請求の範囲】
【請求項１】
リング状磁石の台上に、透明筒体を設置して、その内部に磁石付物体を浮揚させていることを特徴とする合格祈願の置物。  
【請求項２】
リング状磁石は、８００ガウス以上の磁力をもって、リングの大きさとして内径１０ｍｍ〜１００ｍｍ、外径３０ｍｍ〜１５０ｍｍ、厚さ３ｍｍ〜２０ｍｍであることを特徴とする請求項１に記載の合格祈願の置物
【請求項３】
透明筒体は、樹脂、ガラスであって、形状として円形、四角形、三角形、多角形の中から選ばれたものであり、大きさとしてリング状磁石の内径以内で、高さを３０ｍｍ〜２００ｍｍであることを特徴とする請求項１又は請求項２に記載の合格祈願の置物。
【請求項４】
磁石付物体は、前記透明筒体内に入って、箱型の枡、人形、動物模型、装飾容器、文房具であって、底面に板状磁石を取り付けていることを特徴とする請求項１〜請求項３のいずれかに記載の合格祈願の置物。
【請求項５】
リング状磁石を収納したものを土台に、リングの中央部に透明筒体を垂直に設置して、その透明筒体中に前記磁石付物体を浮揚、静止させていることを特徴とする請求項１〜請求項３のいずれかに記載の合格祈願の置物。
【発明の詳細な説明】
【技術分野】
【０００１】
リング状磁石を収納したものを土台とし、リングの中央部に樹脂製あるいはガラス製透明筒体を垂直に置いて、その筒の中に板状磁石を組み込んだ模型の枡を浮揚、静止させ、模型の枡が落下しないため視覚的に楽しめて、縁起の良い語呂合わせの言葉を合理的に持ち備えた合格祈願用置物に関する。
【背景技術】
【０００２】
毎年入学試験の時期が近づくと受験生が合格祈願のために親や友達らと神社や仏閣に参拝に行く姿を見かけるようになる。参拝後は境内や近くにあるお土産屋で、合格祈願の縁起物とされるお守りやおまじないの商品を買って帰るのである。合格祈願の商品は古くから伝わるお守りやダルマ等が長年親しまれているが、近年では従来の観念に囚われず幅広い商品が販売されている。（特許文献参照）
【０００３】
進学塾や学習塾、或いは、家庭などにおける受験生や進学生などの成績向上、難関突破、合格などの祈願を好適に行える祈願用熊手が提供されている（特許文献１参照）。
【０００４】
合格祈願の縁起物としてのストラップ及びシールが提供されている（特許文献２参照）。
【０００５】
お守りとして、五角形の形状の上部に合格祈願と書き記し、５を書くお守りに関するもので、その下部に五角、５を書く５５５！と書き、その下部に合格、合格ＧＯＧＯＧＯと書き、これで五角、５を書く５５５！合格祈願とすることが提案されている（特許文献３参照）。
【０００６】
固定された胴体部分から吊り下げられた頭部などの可動部に永久磁石を取り付け、電磁的な方法で、外部から強制的に可動部を動かすようにした張り子の置物が提案されている（特許文献４参照）。
【０００７】
磁石付きインテリア玩具を、鉄部に貼り付けるだけでなく、吊り下げできるように、又模型が立体的に見えるようにしている（特許文献５参照）。
【０００８】
合格祈願に関する語呂合わせ商品の例として以下のものがある。
・キットカット（ネスレ社  チョコレート）・・・きっと勝つ
・カール（明治製菓  スナック菓子）     ・・・うかーる
・オクトパス（タコのぬいぐるみ）       ・・・置くとパス
・五角鉛筆  (５角形の鉛筆)              ・・・合格鉛筆
【０００９】
又、合格祈願のための外出先は神社や仏閣への参拝にとどまらず、ご利益の有りそうな地名の付いた場所に出向くことも流行となっている。例えは四国徳島県のJR学駅などもその一つであり、地名に因んだ合格祈願商品もそこでは販売されている。
【先行技術文献】
【特許文献】
【００１０】
【特許文献１】特開２００６−１５８７７４号公報
【特許文献２】特開２００７−２２９４１０号公報
【特許文献３】特開２００９−１３６６４９号公報
【特許文献４】特開２００８−２２０６１１号公報
【特許文献５】特開２００８−２２０６１１号公報
【発明の概要】
【発明が解決しようとする課題】
【００１１】
近年「受かる」や「勝つ」等の語呂合わせを題材にした合格祈願の商品や食品が人気を博している。これらの商品や食品は受験シーズンが近づくと飛ぶように売れるのである。志望校合格という切実な思いから、受験生は藁をもすがる思いでこれらを買い求めるのであろう。
【００１２】
ところがその語呂合わせの商品名が、食品の素材や外見に何ら関連性あるいは必然性は無く、言わば強引に命名したものが大多数である。それゆえ視覚的、心情的に合理性のある合格祈願商品の開発が望まれていると実感していた。
【００１３】
又、合格祈願の置物は代表的なダルマなどがあるが、合格祈願に関する置物の種類は決して豊富とはいえない。合格祈願などのお守りについては、静置的なものがほとんどであって、動的、しかも視覚的にできる祈願置物は少ない。本発明では磁石を使用して物体を浮揚・静止させ、合格祈願を祈るユニークな置物を提供するものである。    
【課題を解決するための手段】
【００１４】
リング状磁石の台上に、透明筒体を設置して、その内部に磁石付物体を浮揚させている。
リング状磁石は、８００ガウス以上の磁力をもって、リングの大きさとして内径１０ｍｍ〜１００ｍｍ、外径３０ｍｍ〜１５０ｍｍ、厚さ３ｍｍ〜２０ｍｍである。
【００１５】
透明筒体は、樹脂、ガラスであって、形状として円形、四角形、三角形、多角形の中から選ばれたものであり、大きさとしてリング状磁石の内径以内で、高さを３０ｍｍ〜２００ｍｍである。
【００１６】
磁石付物体は、前記透明筒体内に入って、箱型の枡、人形、動物模型、装飾容器、文房具であって、底面に板状磁石を取り付けている。
【００１７】
リング状磁石を収納したものを土台に、リングの中央部に透明筒体を垂直に設置して、その透明筒体中に、前記磁石付物体を浮揚、静止させている合格祈願の置物である。
【００１８】
本発明は、特に磁石の性質を利用した「浮く」「落ちない」枡である。形状の異なる２個の磁石を使用して構成される。箱にリング状磁石を収納したものを土台とし、リング状磁石の中央部にあたる土台の上に透明性筒体を垂直に設置したものである。その筒の中に板状磁石を組み込んだ模型の枡を浮揚、静止させる。土台ごと180度上下に回転させても模型の枡は落下しない。
【００１９】
これは磁力の作用によるもので、リング状磁石がN極ならば板状磁石はS極を、リング状磁石がS極ならば板状磁石はN極を互いに引き合う状態に対極させる。
【００２０】
リング状磁石と板状磁石のそれぞれの中央部を軸とし、双方を接近させると互いの磁石が引き合う領域と反発し合う領域の境界に達する。この原理を利用することにより模型の枡を空中に浮揚させることが可能となる。
【００２１】
しかしこのままでは模型の枡を浮揚、静止させる事は出来ない。何の支えや抑えになるものが無い状態では模型の枡は不規則に飛散してしまうからである。ここで重要になる部品が透明筒体である。土台の中央に模型の枡の直径よりやや大きめの直径の透明筒体を設置することより模型の枡を浮揚、静止させることが可能となる。
【００２２】
これは模型の枡が透明筒体に抑えられ、飛散防止の役割を果たすためである。透明の筒は、そこに見える模型の枡がまるで不思議な力で浮いているかのように視覚的な効果を演出する。
【発明の効果】
【００２３】
本発明は、模型の枡が浮揚して、落下もしない。「うかります」や「落ちない」などの受験生にとって縁起の良い語呂合わせの言葉を合理的に持ち備えて、神秘的且つユニークな置物であり、それにより視覚的にも楽しめる。
【００２４】
本発明は縁起の良い置物で、志望校合格という切実なる思いを持つ受験生の精神的な支えとなり、時には安らぎの空間を醸しだして、自分の気持ちに自信を持たせる。
【図面の簡単な説明】
【００２５】
【図１】本発明品の構成図
【図２】本発明の部品図
【図３】本発明の外観図（枡）
【図４】本発明の１８０度上下回転図
【図５】模型の枡を浮揚、静止させるための磁石の位置関係図
【図６】本発明の外観図（まねき猫）
【図７】本発明の外観図（扇子付き枡）
【発明を実施するための形態】
【実施例１】
【００２６】
外径８０ｍｍ、内径４０ｍｍ、厚さ１２ｍｍのリング状磁石（図２、a）を縦８４ｍｍ、横８４ｍｍ、高さ１４ｍｍのアクリル製の箱に（図２、b）収納した。リング状磁石の中央部にあたる部分に厚さ１ｍｍ、直径４０ｍｍ、高さ５０ｍｍのアクリル製の透明筒体（図２、c）を垂直に置いたものを土台にした。
【００２７】
模型の枡（図２、e）は、浮揚し易くするため、木材では比較的軽量である桐を使用して、縦２５ｍｍ、横２５ｍｍ、高さ２０ｍｍの大きさの枡を作った。枡を真上から覗いた底の部分に、直径１２ｍｍ、厚さ２ｍｍの丸状磁石（（図２、d）を取り付け、蓋をして模型の枡を完成させた。
【００２８】
図３のように、土台のアクリル製透明筒の中に模型の枡を入れ浮揚、静止させた。枡を入れる場合、上下逆さにしても必ず上向きに浮揚、静止するのを確認した。また図4のように土台を180度上下に回転させても模型の枡は落下しなかった。
【実施例２】
【００２９】
外径１５０ｍｍ、内径６０ｍｍ、厚さ２０ｍｍのリング状磁石を縦１５４ｍｍ、横１５４ｍｍ、高さ２２ｍｍのプラスチック製の箱（図６、ｂ）に収納した。リング状磁石の中央部にあたる部分に厚さ２ｍｍ、縦５５ｍｍ、横５５ｍｍ高さ２００ｍｍのガラス製の四角透明筒体（図６、ｇ）を垂直に置いたものを土台にした。
【００３０】
高さ１００ｍｍ、幅５０ｍｍの発砲スチロール製のまねき猫の人形（図６、ｆ）を縦５０ｍｍ、横５０ｍｍ、厚さ８ｍｍの台座（図６、ｈ）に乗せた。台座の中には縦３０ｍｍ、横３０ｍｍ厚さ５ｍｍの角状磁石を組み込んだ。図６のように、土台のガラス製透明筒体の中にまねき猫の人形を入れ浮揚、静止させた。また土台を180度上下に回転させてもまねき猫の人形は落下しなかった。
【実施例３】
【００３１】
外径１００ｍｍ、内径６０ｍｍ、厚さ２０ｍｍのリング状磁石を縦１０４ｍｍ、横１０４ｍｍ、高さ２２ｍｍのプラスチック製の箱（図７、ｂ）に収納した。厚さ１ｍｍ、直径４６、高さ３０ｍｍの塩化ビニル製透明筒体（図７、ｃ）に長さ５０ｍｍのプラスチック製の支柱（図７、i）を接合したものを図７のように土台に設置した。支柱を設置する場合、透明筒体がリング状磁石の中央になるように調整した。
【００３２】
薄手の発砲スチロール製の板を材料にして、合格や必勝の文字を印刷した枡模様のシールを貼り、縦３０ｍｍ、横３０ｍｍ、高さ２５ｍｍの枡を作った。枡の底面に直径１２ｍｍ、厚さ２ｍｍの丸状磁石を組み込み、紙で作った幅５０ｍｍの模型の扇子を枡の上に乗せた。模型の扇子には受験生が入学試験を受ける学校名などを書けるようにした。（図７、ｊ）
【００３３】
図７のように、土台の塩化ビニル製透明筒体の中に扇子を乗せた模型の枡を浮揚、静止させた。また土台を180度上下に回転させても扇子を乗せた模型の枡は落下しなかった。
【実施例４】
【００３４】
外径３０ｍｍ、内径１０ｍｍ、厚さ３ｍｍのリング状磁石を縦３４ｍｍ、横３４ｍｍ、高さ５ｍｍのアクリル製の箱に収納した。リング状磁石の中央部にあたる部分に厚さ１ｍｍ、直径１０ｍｍ、高さ３０ｍｍのプラスチック製の五角形透明筒体を垂直に置いたものを土台にした。
【００３５】
長さ２０ｍｍに短くした鉛筆の底に直径６ｍｍ厚さ２ｍｍの丸状磁石を取り付けた。鉛筆は合格に因んで五角形にした。土台のプラスチック製透明筒体の中に鉛筆を入れ浮揚、静止させた。土台を180度上下に回転させても鉛筆は落下しなかった。
【実施例５】
【００３６】
本発明での前記置物を机に置いて空中に浮いている模型の枡を鑑賞し、さらに手にとって土台を180度上下に回転させて模型の枡が落下しない様子を眺めて、心を癒すことができた。縁起の良い「うかります」や「落ちない」という言葉が自然と頭の中に浮かんできて、それにより受験生にとって精神的な支え、あるいは休息時の安らぎの空間を演出するツールとなり、一層勉強に励む環境が整うと実感になった。
【産業上の利用可能性】
【００３７】
上述の発明は、入学試験を控える受験生の合格祈願商品として十分可能である。
【符号の説明】
【００３８】
ａ・・・・リング状磁石
ｂ・・・・樹脂製の箱
ｃ・・・・透明筒体
ｄ・・・・板状磁石
ｅ・・・・模型の枡
ｆ・・・・まねき猫人形
ｇ・・・・四角形透明筒体
ｈ・・・・台座
ｉ・・・・支柱
ｊ・・・・模型の扇子
【図１】
2012061022.tif 000003
【図２】
2012061022.tif 000004
【図３】
2012061022.tif 000005
【図４】
2012061022.tif 000006
【図５】
2012061022.tif 000007
【図６】
2012061022.tif 000008
【図７】
2012061022.tif 000009